(57)【要約】      （修正有）【課題】視認性を向上させることができ、かつ照明部材や電源装置をすっきりと納めて、広告面の意匠効果を高めると共に、容易に広告面を交換することができる広告表示具を提供する。【解決手段】枠体１と、枠体１に展張されるシート部材２と、枠体１を自立させるスタンド部材３と、を備え、枠体１は、シート部材２を照らす照明部材１４を有し、スタンド部材３は、互いに間隔をおいて配置された一対の立ち上り部３１と、枠体１を支持する支持板３２と、を有し、一対の立ち上り部３１によって枠体１の下部が覆われ、一対の立ち上り部３１間には、照明部材１４に接続される電源装置が設けられている。【選択図】図１
2018077512.tif 000002
【特許請求の範囲】
【請求項１】
枠体と、
前記枠体に展張されるシート部材と、
前記枠体を自立させるスタンド部材と、を備え、
前記枠体は、前記シート部材を照らす照明部材を有し、
前記スタンド部材は、互いに間隔をおいて配置された一対の立ち上がり部と、
前記枠体を支持する支持板と、を有し、
前記一対の立ち上り部によって前記枠体の下部が覆われ、
前記一対の立ち上り部間には、前記照明部材に接続される電源装置が設けられていることを特徴とする、広告表示具。
【請求項２】
前記枠体の横枠及び縦枠の側面には長さ方向に沿って係止溝が形成されており、
前記シート部材の周縁部には係止プレートが設けられており、
該係止プレートが前記係止溝と係合することにより、前記シート部材が枠体に取り付けられていることを特徴とする、請求項１に記載の広告表示具。
【請求項３】
前記電源装置と照明部材は、コネクタを介して、着脱自在に接続されていることを特徴とする、請求項１又は２に記載の広告表示具。
【請求項４】
前記スタンド部材と前記枠体の間には、前記スタンド部材に前記枠体を固定する固定手段が設けられていることを特徴とする、請求項１〜３の何れか一項に記載の広告表示具。
【請求項５】
前記支持板は、前記枠体の厚さ方向に突出する突出部を有し、
その突出部は、大きい突出部分と小さい突出部分を有するように形成されていることを特徴とする、請求項１〜４の何れか一項に記載の広告表示具。
【請求項６】
前記支持板は、前記枠体の幅方向の両側に、前記枠体の厚さ方向に突出する帯状の突出部が複数形成されていることを特徴とする、請求項１〜４の何れか一項に記載の広告表示具。
【請求項７】
前記立ち上り部は、垂直に立ち上っていることを特徴とする、請求項１〜６の何れかに記載の広告表示具。
【請求項８】
前記立ち上り部は、曲面に形成されていることを特徴とする、請求項１〜６の何れかに記載の広告表示具。
【発明の詳細な説明】
【技術分野】
【０００１】
本発明は、枠体に広告用シートを展張した広告表示具に関するものである。
【背景技術】
【０００２】
一般に、枠体に広告用シート（以下シートともいう）を展張した広告表示具が知られている（例えば、特許文献１参照）。このような広告表示具は、ロゴや広告等が印刷されたシートによって枠体に囲まれた部分を覆うことにより、パネル状の広告や室内の間仕切りとして利用されている。
【０００３】
特許文献１には、「枠体に、この枠体で囲まれた部分を覆ってシートを装着するシートの展張装置であって、前記枠体の表面側に、その長さ方向に沿って係止溝が形成され、前記シートの周縁部裏面には、前記係止溝に前記シートの周縁部とともに係合させられる係止プレートが重畳状態で装着されてなり、前記係止プレートが、弾性材料により前記係止溝の幅と略等しい厚みに形成されているとともに、一側縁部に薄肉部が形成され、この薄肉部と前記シートとが、これらを貫通する止着手段により止着されていることを特徴とするシートの展張装置」の技術が記載されている。
【０００４】
このような構成とすることにより、枠体とシートとを、簡素な構造によって強固に止着し、シートの展張時において、前記シートに十分な張力を負荷することができるとともに、前記シートを枠体の係止溝に係止する際に、この係止溝ならびにこの係止溝内に係合させられる係止プレートを前記シートによって覆い隠すことができることが記載されている。
【先行技術文献】
【特許文献】
【０００５】
【特許文献１】実用新案登録第３２００３８１号公報
【発明の概要】
【発明が解決しようとする課題】
【０００６】
しかしながら、特許文献１のシートの展張装置を広告表示用具として利用する場合には、広告用シートが地面近くに位置するため、広告の視認性が良いとは言えなかった。すなわち、広告用シートの下部周辺の広告を確認する場合には、観察者である人間の目線高さからすると目線を下に向けなければならず、特に広告用シートまでの距離が近い場合には、視認し難いという改良点があった。
【０００７】
また、一般的に、広告用シートを照明等によって照らすことにより、広告を強調して視認性を向上させることが行われている。しかしながら、従来のように、広告用シートの広告面側から照明部材によって照らされる場合には、照明部材や電源装置を設置する場所が必要であると共に、照明部材や電源装置が観察者に確認されてしまうため、意匠的に優れたものではなかった。
また、広告面の裏側から光を当てる内照式の広告表示具も存在するが、広告面を重量のあるアクリルやガラスで形成されているものがほとんどであり、板面自体にコストがかかると共に、板面が重いため工具によって強固に固定する必要があり、広告面の交換に手間がかかるものあった。
【０００８】
本発明は、かかる実情に鑑み、広告面の視認性を向上させることができる広告表示具を提供することを課題とする。
また、本発明は、照明部材や電源装置をすっきりと納めて、広告面の意匠効果を高めると共に、容易に広告面を交換することができる広告表示具を提供することを課題とする。
【課題を解決するための手段】
【０００９】
上記課題を解決するため、本発明に係る広告表示用具は、枠体と、前記枠体に展張されるシート部材と、前記枠体を自立させるスタンド部材と、を備え、前記枠体は、前記シート部材を照らす照明部材を有し、前記スタンド部材は、互いに間隔をおいて配置された一対の立ち上がり部と、前記枠体を支持する支持板と、を有し、前記一対の立ち上り部によって前記枠体の下部が覆われ、前記一対の立ち上り部間には、前記照明部材に接続される電源装置が設けられていることを特徴とする。
【００１０】
このように、スタンド部材を備えることにより、広告面であるシート部材を高い位置に配置して観察者の目線に近づけることで、広告の視認性を向上させることができる。
また、枠体に照明部材を設け、この照明部材の電源装置を一対の立ち上り部の間に設けることにより、照明部材や電源装置をすっきりと広告表示具内に収納して、広告面の意匠効果を高めることができる。
さらに、広告面を軽量なシート部材で形成していることにより、容易に広告面の取付け及び取外しを行うことができる。
【００１１】
本発明の好ましい形態では、前記スタンド部材と前記枠体の間には、前記スタンド部材に前記枠体を固定する固定手段が設けられていることを特徴とする。
【００１２】
本発明の好ましい形態では、前記支持板は、前記枠体の厚さ方向に突出する突出部を有し、その突出部は、大きい突出部分と小さい突出部分を有するように形成されていることを特徴とする。
【００１３】
本発明の好ましい形態では、前記支持板は、前記枠体の幅方向の両側に、前記枠体の厚さ方向に突出する帯状の突出部が複数形成されていることを特徴とする。
【００１４】
本発明の好ましい形態では、前記立ち上り部は、垂直に立ち上っていることを特徴とする。
【００１５】
本発明の好ましい形態では、前記立ち上り部は、曲面に形成されていることを特徴とする。
【発明の効果】
【００１６】
本発明は、広告面の視認性を向上させることができる広告表示具を提供することができる。
また、本発明は、照明部材や電源装置をすっきりと納めて、広告面の意匠効果を高めると共に、容易に広告面を交換することができる広告表示具を提供することができる。
【図面の簡単な説明】
【００１７】
【図１】本発明の実施形態１に係る広告表示具の斜視図である。
【図２】本発明の実施形態１に係る広告表示具の分解図である。
【図３】本発明の実施形態１に係る広告表示具のスタンド部材の外観斜視図である。
【図４】本発明の実施形態２に係る広告表示具のスタンド部材の外観斜視図である。
【図５】本発明の実施形態３に係る広告表示具のスタンド部材の外観斜視図である。
【図６】本発明の実施形態４に係る広告表示具のスタンド部材の外観斜視図である。
【図７】本発明の実施形態５に係る広告表示具のスタンド部材の外観斜視図である。
【発明を実施するための形態】
【００１８】
以下、本発明を図面に示した好ましい実施形態１ないし実施形態５について詳細に説明する。本発明の技術的範囲は、添付図面に示した実施形態に限定されるものではなく、実用新案登録請求の範囲に記載された範囲内において、適宜変更が可能である。
【００１９】
＜実施形態１＞
本発明の実施形態１に係る広告表示具は、図１に示すように、枠体１と、この枠体１で囲まれた部分を覆うシート部材２と、枠体１を自立させるスタンド部材３と、を備えている。なお、以後方向を示す場合には、正面から見た枠体１の横幅に沿った方向を幅方向、縦幅に沿った方向を高さ方向、奥行に沿った方向を厚さ方向、として説明する。
【００２０】
枠体１は、図２に示すように、横枠１１と、縦枠１２と、この横枠１１と縦枠１２を連結する連結部材１３と、縦枠１２に設けられる照明部材１４と、を有している。
横枠１１及び縦枠１２の端部には、連結部材１３が挿入される連結孔が形成されており、横枠１１と縦枠１２とは連結部材１３を介して結合されている。また、図には示していないが、横枠１１及び縦枠１２の側面には長さ方向に沿って係止溝が形成され、シート部材２の周縁部に設けられた係止プレートと係合可能なよう構成することが望ましい（特許文献１参照）。
【００２１】
照明部材１４は、枠体１に展張するシート部材２の広告面の裏側から投光して、シート部材２の表面を明るく照らして強調できるよう構成されている。この照明部材１４としては、発光ダイオードが好適に用いられる。
【００２２】
シート部材２は、布や樹脂フィルム等によって形成されており、枠体１に展張可能なよう、枠体１の矩形形状に対して、同程度若しくは相似的に若干大きな形状となされている。このシート部材２としては、ロゴや広告等が印刷されたシート、あるいは無地のシート、布シート、装飾柄シート等が好適に用いられる。
【００２３】
また、このシート部材２は、図には示していないが、周縁部に係止プレートが設けられており、この係止プレートが枠体１の側面に設けられた係止溝と係合することにより、シート部材２が枠体１に取り付けられることが望ましい。この他にも、枠体１で囲まれた部分を被覆可能な慣用の手段を用いてシート部材２を取付けてもよい。
【００２４】
スタンド部材３は、図３に示すように、互いに間隔をおいて配置された一対の立ち上り部３１と、枠体１を支持する支持板３２と、この支持板３２に縦枠１２を固定する固定手段３３を有している。
【００２５】
一対の立ち上り部３１は、立ち上り面３１ａと、側面３１ｂと、この側面３１ｂに設けられる貫通孔３１ｃと、を有しており、縦枠１２が固定される固定手段３３を挟んで形成されている。そのため、縦枠１２を固定手段３３に固定した際には、一対の立ち上り部３１によって枠体１の下部が覆われる。
【００２６】
立ち上り面３１ａは、長方形の板状に形成され、枠体１の下部を覆う大きさに形成されている。
側面３１ｂは、直角三角形状に形成され、この直角三角形の斜辺には立ち上り面３１ａが、隣辺には支持板３２が接続されており、立ち上り面３１ａの立ち上り角度を決定している。
貫通孔３１ｃは、少なくとも1つの側面３１ｂに形成されており、後述する電源装置３４の電源プラグ３４ａを立ち上り部３１の外部に引き出せる構成となっている。
【００２７】
この一対の立ち上り部３１の間には、照明部材１４に接続される電源装置３４が設けられている（図２参照）。この電源装置３４は、照明部材１４に電力を供給するスイッチング電源であり、電源プラグ３４ａによって外部から電力を供給するようにしても良いし、バッテリー等で電力を供給するように構成しても良い。
また、この電源装置３４と照明部材１４とは、コネクタ３４ｂを介して、着脱自在に接続されている。
【００２８】
支持板３２は、矩形の板状に形成され、枠体１の厚さ方向に突出する突出部３２ａを有している。この突出部３２ａは、立ち上り部３１から枠体１の厚さ方向に一定の長さで突出している。
【００２９】
固定手段３３は、図２及び図３に示すように、Ｌ字型の固定部材によって縦枠１２と支持板３２とをボルトＢ等で接続するように構成されている。
また、この固定手段３３は、スタンド部材３と枠体１の間に設けられていれば良く、慣用の固定手段を用いることができる。
【００３０】
本発明によれば、スタンド部材３に立ち上り部３１を設けたことにより、広告面であるシート部材２を高い位置に配置して観察者の目線に近づけることで、広告の視認性を向上させることができる。すなわち、観察者である人間の目線高さからすると目線を下に向けることなく広告面を観察者の視界に入れることができ、さらに、シート部材２までの距離が近い場合にも、容易に広告面を観察者の視界に入れることができる。
【００３１】
また、本発明によれば、スタンド部材３に立ち上り部３１を設けたことにより、広告面であるシート部材２を高い位置に配置することにより、広告面が傷つくことや汚れることを抑制することができる。すなわち、枠体１が地面上にある場合には、広告面に地面上を移動する観察者の足や物等がぶつかることにより、広告面が容易に傷つき汚れてしまい、広告面の視認性を損ねてしまう。そのため、スタンド部材３を設けることにより、広告面を地面から離すことにより、広告面が傷つくことや汚れることを抑制することができる。
【００３２】
また、本発明によれば、照明部材１４や電源装置３４をすっきりと納めて、スタイリッシュな広告表示具とすることができる。すなわち、照明部材１４を枠体１に設け、シート部材２により照明部材１４の設置箇所を覆うことによって、照明部材１４を露出せずにシート部材２を照らすことができる。また、一対の立ち上り部３１の間に電源装置３４を設けることにより、電源装置３４を外部から視認できない位置に設置することができる。これにより、照明部材１４や電源装置３４を広告表示具の内部に収納することで、スタイリッシュな広告表示具として、広告面の意匠効果を高めた広告表示具とすることができる。
【００３３】
また、本発明によれば、広告面を軽量なシート部材２で形成することにより、容易に広告面の取付け及び取外しを行うことができる。従来の内照式広告表示器の広告面は、重量のあるアクリルやガラスで形成されていたためボルト等の工具によって強固に固定する必要があり、広告面の交換に手間がかかるものあった。しかしながら、本発明のシート部材２は軽量であるため、枠体１の側面に形成された係止溝にシート部材２の周辺部に設けられた係止プレートを差し込む等して容易に固定することができる。そのため、工具等を用いることなく容易に広告面の交換を行うことができる。
また、このシート部材２は、強固に作る必要が無いため、製作し易く結果的にコストを削減することができる。
【００３４】
＜実施形態２＞
以下、本発明の実施形態２に係る広告表示具について、図４を参照して詳細に説明する。この実施形態２に係る広告表示具は、先の実施形態に係る広告表示具とは異なる形状の支持板を有していることを特徴とする。なお、同実施形態において、先の実施形態と基本的に同一の構成要素については、同一の符号を付してその説明を簡略化する。
【００３５】
本発明の実施形態２に係る支持板３５は、図４に示すように、枠体１の厚さ方向に突出する突出部３５ａを有しており、この突出部３５ａには大きい突出部分Ｘと小さい突出部分Ｙが形成されている。
大きい突出部分Ｘは、前記枠体の幅方向の両側位置において、立ち上り部３１から枠体１の厚さ方向に長く突出している。一方、小さい突出部分Ｙは前記枠体の幅方向の中央位置において、立ち上り部３１から枠体１の厚さ方向に短く突出している。
このように、負荷のかかりやすい箇所を大面積に形成することにより、広告表示具の安定性を向上させることができる。
【００３６】
＜実施形態３＞
以下、本発明の実施形態３に係る広告表示具について、図５を参照して詳細に説明する。この実施形態３に係る広告表示具は、先の実施形態１に係る広告表示具とは異なる形状の支持板を有していることを特徴とする。なお、同実施形態において、先の実施形態と基本的に同一の構成要素については、同一の符号を付してその説明を簡略化する。
【００３７】
本発明の実施形態３に係る支持板３６は、図５に示すように、枠体１の幅方向の両側に、枠体１の厚さ方向に突出する帯状の突出部３６ａが複数形成されている。
このような形状の支持板３６を採用することにより、最小限の面積で枠体１を支持することができ、材料費を削減することができる。
【００３８】
＜実施形態４＞
以下、本発明の実施形態４に係る広告表示具について、図６を参照して詳細に説明する。この実施形態４に係る広告表示具は、先の実施形態１に係る広告表示具とは異なる形状の立ち上り部を有していることを特徴とする。なお、同実施形態において、先の実施形態と基本的に同一の構成要素については、同一の符号を付してその説明を簡略化する。
【００３９】
本発明の実施形態４に係る立ち上り部３７は、立ち上り面３７ａを有しており、この立ち上り面３７ａは垂直に立ち上っている。
このように、立ち上り面３７ａが垂直に立ち上っていることにより、スタンド部材３周辺をスッキリ見せることで、先の実施形態とは異なった美感を奏することができる。
【００４０】
＜実施形態５＞
以下、本発明の実施形態５に係る広告表示具について、図７を参照して詳細に説明する。この実施形態５に係る広告表示具は、先の実施形態１に係る広告表示具とは異なる形状の立ち上り部を有していることを特徴とする。なお、同実施形態において、先の実施形態と基本的に同一の構成要素については、同一の符号を付してその説明を簡略化する。
【００４１】
本発明の実施形態５に係る立ち上り部３８は、曲面に形成された立ち上り面３８ａと、概略扇状に形成された側面３８ｂと、を有している。
このように、立ち上り部３８を曲面に形成したことにより、スタンド部材３周辺を立体的に見せることで、先の実施形態とは異なった美感を奏することができる。
【符号の説明】
【００４２】
１  枠体
１１  横枠
１２  縦枠
１３  連結部材
１４  照明部材
２  シート部材
３  スタンド部材
３１  立ち上り部
３２  支持板
３３  固定手段
３４  電源装置
３５  支持板
３６  支持板
３７  立ち上り部
３８  立ち上り部
【図１】
2018077512.tif 000003
【図２】
2018077512.tif 000004
【図３】
2018077512.tif 000005
【図４】
2018077512.tif 000006
【図５】
2018077512.tif 000007
【図６】
2018077512.tif 000008
【図７】
2018077512.tif 000009